(57)【要約】【課題】構造の簡素化を図りつつ鼻隠しからの突出量を調整することのできる軒樋吊具を得る。【解決手段】鼻隠し２に固定される固定部材３と、軒樋４を支持する吊具本体５とを備え、吊具本体５に設けられた板状係合部５１を固定部材３に設けられた係合溝３２に係合させることで吊具本体５を固定部材３に連結する軒樋吊具１であって、係合溝３２を複数設けることで吊具本体先端５ａの鼻隠し２からの突出量を調整できるようにするとともに、吊具本体５を固定部材３に対して下方に相対移動させることで板状係合部５１を係合溝３２に上方から係合させて吊具本体５を固定部材３に連結するようにした。【選択図】図４
2010275692.tif 000002
【特許請求の範囲】
【請求項１】
鼻隠しに固定される固定部材と、軒樋を支持する吊具本体とを備え、前記吊具本体に設けられた係合部を前記固定部材に設けられた被係合部に係合させることで吊具本体を固定部材に連結する軒樋吊具であって、
前記係合部および被係合部のうち少なくともいずれか一方を複数設けることで前記吊具本体先端の前記鼻隠しからの突出量を調整できるようにするとともに、前記吊具本体を前記固定部材に対して下方に相対移動させることで前記係合部を前記被係合部に上方から係合させて吊具本体を固定部材に連結するようにしたことを特徴とする軒樋吊具。
【発明の詳細な説明】
【技術分野】
【０００１】
本発明は、軒樋吊具に関する。
【背景技術】
【０００２】
従来、軒樋吊具として、鼻隠しに取り付けられる取付ベースと、軒樋を支持する支持アームとを備え、支持アームに設けられたベース連結部を取付ベースに設けられたアーム連結部に嵌合させることで支持アームを取付ベースに連結させたものが知られている（例えば、特許文献１参照）。
【０００３】
この特許文献１では、側方が開口して内側上下に鋸歯状の嵌合凹凸部が設けられた断面略コ字状のアーム連結部に、当該アーム連結部の嵌合凹凸部に嵌合する鋸歯状の嵌合凹凸部が上下面に設けられたベース連結部を、互いの嵌合凹凸部の相対位置を調整しながら嵌合させることで、支持アーム先端の鼻隠しからの突出量を調整できるようにしている。
【先行技術文献】
【特許文献】
【０００４】
【特許文献１】実開平４−０７６８４０号公報
【発明の概要】
【発明が解決しようとする課題】
【０００５】
しかしながら、上記従来の技術では、支持アームを取付ベースに対して側方に相対移動させてベース連結部をアーム連結部に嵌合させているため、支持アームの取付ベースからの離脱を防止する係止部を設ける必要があり、構造が複雑化してしまうという問題があった。
【０００６】
そこで、本発明は、構造の簡素化を図りつつ鼻隠しからの突出量を調整することのできる軒樋吊具を得ることを目的とする。
【課題を解決するための手段】
【０００７】
請求項１の発明にあっては、鼻隠しに固定される固定部材と、軒樋を支持する吊具本体とを備え、前記吊具本体に設けられた係合部を前記固定部材に設けられた被係合部に係合させることで吊具本体を固定部材に連結する軒樋吊具であって、前記係合部および被係合部のうち少なくともいずれか一方を複数設けることで前記吊具本体先端の前記鼻隠しからの突出量を調整できるようにするとともに、前記吊具本体を前記固定部材に対して下方に相対移動させることで前記係合部を前記被係合部に上方から係合させて吊具本体を固定部材に連結するようにしたことを特徴とする。
【発明の効果】
【０００８】
請求項１の発明によれば、吊具本体を固定部材に対して下方に相対移動させることで係合部を被係合部に上方から係合させて吊具本体を固定部材に連結するようにしたため、吊具本体が固定部材から離脱してしまうのを抑制することができ、鼻隠しからの突出量を調整することのできる軒樋吊具の構造の簡素化を図ることができる。
【図面の簡単な説明】
【０００９】
【図１】図１は、本発明の一実施形態にかかる軒樋吊具を鼻隠しに取り付けた状態を示す側面図である。
【図２】図２は、本発明の一実施形態にかかる吊具本体を示す図であって、（ａ）は斜視図、（ｂ）は側面図、（ｃ）は正面図である。
【図３】図３は、本発明の一実施形態にかかる固定部材を示す図であって、（ａ）は斜視図、（ｂ）は側断面図、（ｃ）は正断面図である。
【図４】図４は、本発明の一実施形態にかかる軒樋吊具を示す図であって、（ａ）は斜視図、（ｂ）は側断面図である。
【発明を実施するための形態】
【００１０】
以下、本発明の実施形態について図面を参照しながら詳細に説明する。なお、以下では、鼻隠しに取り付けた状態における軒樋吊具の鼻隠し側を軒樋吊具の後側、軒樋吊具の先端側を軒樋吊具の前側として説明する。
【００１１】
本実施形態にかかる軒樋吊具１は、鼻隠し２にねじ等で固定される固定部材３と、この固定部材３に連結して軒樋４を支持する吊具本体５と、を備えている。そして、軒樋吊具１を鼻隠し２に幅方向に間隔を設けて複数固定し、図１に示すように、鼻隠し２に固定した軒樋吊具１の吊具本体５に軒樋４を支持することで、屋根先６から流下する雨水を軒樋で受けて排水するようにしている。なお、軒樋吊具１は、金属材料あるいは合成樹脂材料によって形成することができる。
【００１２】
吊具本体５は、軒樋４を支持する支持アーム５０と、当該支持アーム５０に一体に設けられ後述する係合溝（被係合部）３２に係合する板状係合部（係合部）５１と、を備えている。
【００１３】
本実施形態では、支持アーム５０は、板状係合部（係合部）５１が設けられる根元部５２と、当該根元部５２から前方に向けて延びるアーム部５３と、当該アーム部５３の先端に設けられる先端部５４と、を備えている。
【００１４】
そして、根元部５２の下端部５２ａには、前方かつ上方に向けて延在する係止片５２ｄが延設されている。
【００１５】
また、アーム部５３は、根元部５２の上端５２ｂから略水平に延在する上側水平部５３ａと、当該上側水平部５３ａの前端から前方かつ下方に延在する傾斜部５３ｂと、当該傾斜部５３ｂの前端から略水平に延在する下側水平部５３ｃと、を備えている。
【００１６】
さらに、本実施形態では、アーム部５３は、根元部５２から前方に向けて略帯状に延びる天壁部５３ｄと、当該天壁部５３ｄの下方に位置し、根元部５２から前方に向けて略帯状に延びる底壁部５３ｅと、これら天壁部５３ｄおよび底壁部５３ｅを支持する縦壁部５３ｆとで構成されており、断面略Ｈ字状をしている。
【００１７】
そして、下側水平部５３ｃ後端の底壁部５３ｅ近傍からは、係止片５３ｇが後方に向けて延設されており、この係止片５３ｇと根元部５２に設けられた係止片５２ｄとで第１係止部５５が形成されている。
【００１８】
先端部５４は、アーム部５３前端から上方に立ち上がる縦壁５４ａと、当該縦壁５４ａの上端から前方に向けて略水平に延在する水平壁５４ｂと、を備えており、当該水平壁５４ｂの前端を上方に折曲することで第２係止部５４ｃを形成している。
【００１９】
軒樋４は、底壁４１と、当該底壁４１の前後両端から上方に延設した前壁４２および後壁４３を備えており、前壁４２および後壁４３の上端には、前側耳部４２ａおよび後側耳部４３ａがそれぞれ設けられている。
【００２０】
そして、前側耳部４２ａを第２係止部５４ｃに係止させるとともに、後側耳部４３ａを第１係止部５５に係止させることで、軒樋４を支持アーム５０に支持させている。
【００２１】
具体的には、第２係止部５４ｃを前側耳部４２ａに形成された係止溝４２ｂに差し込んで前側耳部４２ａを第２係止部５４ｃに引っ掛けるようにして係止させるとともに、根元部５２、上側水平部５３ａ、傾斜部５３ｂおよび第１係止部（係止片５２ｄおよび係止片５３ｇ）５５で形成される空間Ｓ内に後側耳部４３ａを差し込んだ状態で当該後側耳部４３ａをアーム部に設けられた係止片５３ｇと根元部５２に設けられた係止片５２ｄとで挟持することで後側耳部４３ａを第１係止部５５に係止させている。
【００２２】
固定部材３は、鼻隠し２に固定される基部３１を備えており、この基部３１に、吊具本体５に設けられた板状係合部（係合部）５１を係合する係合溝（被係合部）３２が複数設けられている。
【００２３】
本実施形態では、基部３１は、図３に示すように、正面視で略ホームベース状をしており、この基部３１の幅方向両端部には、ねじ等を挿入する取付穴３１ａがそれぞれ設けられている。
【００２４】
また、係合溝３２は、本実施形態では、基部３１の幅方向中央部に、上方が開口するように３つ設けられており、これら３つの係合溝３２が前後方向に等間隔に設けられている。
【００２５】
このように、本実施形態では、板状係合部（係合部）５１および係合溝（被係合部）３２のうち少なくともいずれか一方である係合溝（被係合部）３２を前後に複数（３つ）設け、板状係合部（係合部）５１をこれら３つの係合溝３２の１つに選択的に係合させることで、吊具本体先端５ａの鼻隠し２からの突出量を調整できるようにしている。この吊具本体先端５ａの鼻隠し２からの突出量が調整可能な軒樋吊具１を用いることで、鼻隠し２が歪んでいた場合に生じる軒樋４の鼻隠し２からの距離の誤差を軒樋吊具１によって吸収することができるため、軒樋吊具に支持された軒樋が撓んでしまうのを抑制することができる。
【００２６】
また、本実施形態では、上方に開口する係合溝３２を設け、吊具本体５を固定部材３に対して下方に相対移動させることで板状係合部（係合部）５１を係合溝３２に上方から係合させることで、吊具本体５を固定部材３に連結するようにしている。なお、吊具本体５と固定部材３との連結は、固定部材３を予め鼻隠し２に固定した状態で行ってもよいし、固定部材３を鼻隠し２に固定する前に行うようにしてもよい。
【００２７】
さらに、本実施形態では、板状係合部（係合部）５１を係合溝３２に対して上方に相対移動させない限り板状係合部（係合部）５１と係合溝３２との係合が解除されないようにしている。
【００２８】
具体的には、３つの係合溝３２を形成することで固定部材３に設けられた４つの縦壁部３３のうち最後部を除く３つの縦壁部３３には、上方に開口する切り欠き３４がそれぞれ設けられており、この切り欠き３４を固定部材３に設けることで、根元部挿入部３５を形成するとともに３つの係合溝３２を略Ｕ字状に形成している（図３参照）。そして、板状係合部（係合部）５１を係合溝３２に対して下方に相対移動させ、板状係合部（係合部）５１の上縁部を除く周縁部を当該係合溝３２に差し込むことで、板状係合部（係合部）５１が係合溝３２に対して上方以外に相対移動してしまうのを規制している。
【００２９】
このように、本実施形態では、固定部材３に切り欠き３４を設けて根元部挿入部３５を形成することで、３つの係合溝３２のうちのいずれに板状係合部（係合部）５１を係合させる場合であっても、板状係合部（係合部）５１を根元部５２に邪魔されることなく係合溝３２に係合させることができるようにしている。
【００３０】
また、係合溝（被係合部）３２を上方に開口させ、板状係合部（係合部）５１を係合溝３２に上方から係合させるようにするとともに、板状係合部（係合部）５１を係合溝３２に対して上方に相対移動させない限り板状係合部（係合部）５１と係合溝３２との係合が解除されないようにすることで、吊具本体５が固定部材３から離脱してしまうのを抑制している。
【００３１】
なお、本実施形態では、板状係合部（係合部）５１の下部に取付穴５１ａを設けるとともに、固定部材３の４つの縦壁部３３の板状係合部（係合部）５１を係合溝３２に係合させた状態における板状係合部（係合部）５１の取付穴５１ａに対応する位置に、取付穴３３ａをそれぞれ設け、板状係合部（係合部）５１を係合溝３２に係合させた状態で、ねじ等により共締めすることで、吊具本体５が固定部材３から離脱してしまうのをより確実に防止できるようにしている。
【００３２】
以上説明したように、本実施形態では、吊具本体５を固定部材３に対して下方に相対移動させることで、板状係合部（係合部）５１を固定部材３に前後方向に複数（３つ）設けられた係合溝（被係合部）３２のいずれか１つに選択的に上方から係合させ、吊具本体５を固定部材３に連結するようにした。その結果、吊具本体５が固定部材３から離脱してしまうのを抑制することができるようになり、吊具本体５の固定部材３からの離脱を防止する部材を新たに設ける必要がなくなるため、吊具本体先端５ａの鼻隠し２からの突出量を調整することのできる軒樋吊具１の構造の簡素化を図ることができるようになる。
【００３３】
また、本実施形態によれば、吊具本体５と固定部材３とを共締めするようにしたため、吊具本体５が固定部材３から離脱してしまうのをより確実に抑制することができる。
【００３４】
以上、本発明の好適な実施形態について説明したが、本発明は上記実施形態には限定されず、種々の変形が可能である。
【００３５】
たとえば、上記実施形態では、係合部として板状係合部、被係合部として係合溝部を設けたものを例示したが、吊具本体に下方に開口する溝部（係合部）を設けるとともに、固定部に上方に向けて延設された突部（被係合部）を設け、吊具本体５を固定部材３に対して下方に相対移動させることで、溝部（係合部）を突部（被係合部）に上方から係合させるようにしてもよい。
【００３６】
また、上記実施形態では、１つの係合部を複数設けられた被係合部に選択的に係合させることで、吊具本体先端の鼻隠しからの突出量を調整できるようにしたものを例示したが、これに限らず、複数の係合部を設け、これら複数の係合部のうちの１つを被係合部に係合させるようにしてもよい。また、板状係合部を前後方向に等間隔で複数設けられた係合溝と同間隔で板状係合部を前後方向に複数設ける等してもよい。すなわち、係合部および被係合部のそれぞれを複数設けるようにしてもよい。
【００３７】
また、吊具本体や、固定部材、軒樋、係合部、被係合部、その他細部のスペック（形状、大きさ、レイアウト等）も適宜に変更可能である。
【符号の説明】
【００３８】
１  軒樋吊具
２  鼻隠し
３  固定部材
４  軒樋
５  吊具本体
３２  係合溝（被係合部）
５１  板状係合部（係合部）
【図１】
2010275692.tif 000003
【図２】
2010275692.tif 000004
【図３】
2010275692.tif 000005
【図４】
2010275692.tif 000006